(57)【要約】【課題】  織編物を巻いたように使用するが、織編物を平坦な一枚ものとしても使用することができる紐状部材とともに使用される織編物を提供する。【解決手段】  織編物１の一辺に沿うように設けられる通し穴Tに紐状部材５を通し、この紐状部材５の端部５aを結ぶなどして織編物を巻いたように使用する紐状部材とともに使用される織編物であって、上記紐状部材５が通し穴Tに自由動が可能なように通されるか、又は、上記紐状部材５が通し穴Tに通されるとともに所定箇所Taが連結されて、織編物１を巻いた状態にしたり、結びを解除すると一枚ものに広げるように使用可能にするとともに、織編物を巻いた状態で係止させるための第１の係止部２aを有する。【選択図】  図１
2007146303.tif 000002
【特許請求の範囲】
【請求項１】
織編物の一辺に沿うように設けられる通し穴に紐状部材を通し、この紐状部材の端部を結ぶなどして織編物を巻いたように使用する紐状部材とともに使用される織編物であって、上記紐状部材を通し穴に自由動が可能なように連結されず通されるか、又は、上記紐状部材が通し穴に通されるとともに所定箇所が連結されて、織編物を巻いた状態にしたり、結びを解除すると、通し穴の部分も含め平坦な一枚ものに広げるように使用可能にするとともに、織編物を巻いた状態で係止させるための第１の係止部を有することを特徴とする紐状部材とともに使用される織編物。
【請求項２】
前記通し穴の出し入れ口の近傍にボタン等の第２の係止部が設けられ、前記紐状部材の中途部にはこの第２の係止部材が係止される切り込み等の被係止部が設けられていることを特徴とする請求項１記載の紐状部材とともに使用される織編物。
【請求項３】
前記紐状部材は、ゴム紐等の伸縮性を有する部材であることを特徴とする請求項１記載の紐状部材とともに使用される織編物。
【請求項４】
前記紐状部材は、ゴム紐等の伸縮性を有する部材が中央に配され、その両端側が紐であることを特徴とする請求項１から請求項３のいずれか１項記載の紐状部材とともに使用される織編物。
【請求項５】
前記紐状部材とともに使用される織編物は、タオル生地であることを特徴とする請求項１から請求項４のいずれか１項記載の紐状部材とともに使用される織編物。
【発明の詳細な説明】
【技術分野】
【０００１】
この発明は、タオルや布等の織編物の一辺に沿うように設けられる通し穴に紐状部材を通し、この紐状部材の端部を結ぶなどして織編物を巻いたように使用する紐状部材とともに使用される織編物に関する。
【背景技術】
【０００２】
従来、タオル生地等の織編物に紐状部材を通す穴を設け、この穴に紐状部材を通し、織編物を巻いたように使用するものがある（特許文献１）。タオル生地では、子どもの湯上がりの乾燥に使用されたり、プール・海水浴等でも使用されるものであり（「巻きタオル」や「スナップタオル」と称されることもある。）子どもの首の大きさに合わせるためにゴム等を縫いつけて縮径させてあるため、通し穴が常にしわ（ギャザー）が寄った状態である。
【０００３】
【特許文献１】実用新案登録第３０３３０７１号公報
【発明の開示】
【発明が解決しようとする課題】
【０００４】
上記巻きタオルでは、紐状部材が通し穴の中に縫いつけられてしまっているため、通し穴に常にしわ（ギャザー）が寄ったままの状態であった。しかし、このような通し穴にしわ（ギャザー）が寄ったままの状態になるものでは、洗濯すると、このしわ（ギャザー）が寄った箇所では、乾燥に時間がかかる問題、洗濯しても汚れが落ちにくいという問題、洗濯後に畳むときも畳みにくいなどの問題、換言すると、タオル生地等の織編物の平坦な一枚ものとして使用ができないという問題を有していた。
【０００５】
そこで本発明の目的は、織編物を巻いたように使用するが、織編物を平坦な一枚ものとしても使用することができる紐状部材とともに使用される織編物を提供することにある。
【課題を解決するための手段】
【０００６】
本発明の請求項１記載の紐状部材とともに使用される織編物は、織編物の一辺に沿うように設けられる通し穴に紐状部材を通し、この紐状部材の端部を結ぶなどして織編物を巻いたように使用される織編物であって、上記紐状部材を通し穴に対して自由動が可能なように連結されず通されるか、又は、上記紐状部材が通し穴に通されるとともに所定箇所が連結されて、織編物を巻いた状態にしたり、結びを解除すると通し穴の部分を含め平坦な一枚ものに広げるように使用可能にするとともに、織編物を巻いた状態で係止させるための第１の係止部を有する。
【０００７】
本発明によれば、上記紐状部材が通し穴に対して自由動が可能なように連結されず通されるか、又は、上記紐状部材（５）が通し穴Tのほぼ中央部（符号Ta）で一箇所のみ連結されているような所定箇所の連結でも、結びを解除すれば、しわ（ギャザー）を完全にのばすことができる。
【発明の効果】
【０００８】
本発明によれば、織編物を巻いたように使用したり、通し穴の部分を含め織編物を平坦な一枚ものとしても使用することができ、また、洗濯時には、しわ（ギャザー）を完全に伸ばすことができるので、汚れが落とし易く、その後の乾燥も行い易くなる。また、畳んだ時もかさばらない。
【発明を実施するための最良の形態】
【０００９】
以下、本発明を適用した最良の実施の形態について詳細に説明する。
【００１０】
図１は、一枚ものとしての使用状態を示すものであり、タオル生地等の織編物（符号１）の一辺（図１中上方側の一辺）に沿うように通し穴Tが設けられている。また、別の向かい合う二辺には、織編物を巻いた状態で係止させるためのスナップボタン等の第１の係止部（符号２）を有する。前記通し穴Tの出し入れ口Tbの近傍には、ボタン等の第２の係止部（符号３）が各々設けられ、また、通し穴Tに通された紐状部材（５）の中途部には、この第２の係止部（符号３）が係止される切り込み等の被係止部（符号４）が２箇所設けられている。このため、上記２箇所の第２の係止部（符号３）を被係止部（符号４）に係止させると、図２に示すように、紐状部材（５）の両端５aが引き出され、この両端５aを互いに結ぶことができるようになる。
【００１１】
紐状部材（５）は、図４に示すように、ゴム紐等の伸縮性を有する部材（符号５b）が中央に配され、その両端（符号５a）が布製等の紐であるが、すべてゴム紐であってもよく、また、すべて布製等の紐であっても良い。紐状部材（５）は、通し穴Tのほぼ中央部（符号Ta）で連結されている。つまり中央部一箇所のみ縫合されている。しかし、この連結状態を使用せずに、上記紐状部材５が通し穴Tに自由動が可能なように通されていても良い。自由動可能な状態にする利点としては、織編物（符号１）と紐状部材（５）とを別々にして洗濯したり、また、交換が自在である点が挙げられる。一方、紐状部材（５）が通し穴Tのほぼ中央部（符号Ta）で一箇所のみ連結されている利点としては、紐状部材（５）が抜け落ちるようなことを防止できるとともに、ほぼ中央部（符号Ta）で連結されているので、ゴム紐等の伸縮性を有する部材（符号５b）が中央に配されているので、この伸縮性を左右に均等に発揮させることができる点がある。
【００１２】
図３のように、子供の湯上がりやプール・海水浴から上がったときに使用するためには、図１の状態から紐状部材５の両端５aを通し穴から引き出して、通し穴Tの部分を縮め、第２の係止部３を被係止部４に係止させる。その後、第１の係止部２aを被係止部２bに係止させ、通し穴から引き出した紐状部材の両端５a同士を結べば、子供の身体を覆う状態となる。
【００１３】
以上のように、本実施の形態によれば、従来のような、しわ（ギャザー）が連続するような事態を防止でき、タオル生地等の織編物１を平坦な一枚ものとしての使用状態が可能となるので、洗濯時には汚れが落とし易く、また、その後の乾燥も行い易くなる。また、畳んだ時も、かさばらない。
【００１４】
以上、上記ではタオル生地を使ったが、織編物、つまり織物および編物全般で応用できる。同じく、ゴム紐と紐の組み合わせを使ったが、紐状の部材であれば、どのようなものでも使用可能である。
【図面の簡単な説明】
【００１５】
【図１】本発明の一実施の形態の紐状部材とともに使用される織編物の平坦な一枚ものとしての使用状態を示す正面図である。
【図２】上記一実施の形態の紐状部材とともに使用される織編物の通し穴を紐状部材と共に縮める状態を示す正面図である。
【図３】上記一実施の形態の紐状部材と共に使用される織編物を子供に着せた状態を示す正面図である。
【図４】上記一実施の形態の紐状部材を示す正面図である。
【符号の説明】
【００１６】
１  織編物
２a 第１の係止部、２b  第１の被係止部
３  第２の係止部
４  第２の被係止部
５  紐状部材
５a  紐状部材の両端部、５b  紐状部材の中央部
【図１】
2007146303.tif 000003
【図２】
2007146303.tif 000004
【図３】
2007146303.tif 000005
【図４】
2007146303.tif 000006
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
織編物の一辺に沿うように設けられる通し穴に紐状部材を通し、この紐状部材の端部を結ぶなどして織編物を巻いたように使用する紐状部材とともに使用される織編物であって、織編物を巻いた状態にしたり、結びを解除すると、通し穴の部分も含め平坦な一枚ものに広げるように使用可能にするとともに、織編物を巻いた状態で係止させるための第１の係止部を有し、前記通し穴の左右の出し入れ口の近傍にそれぞれボタン等の第２の係止部が設けられ、前記紐状部材の中途部にはこの第２の係止部が係止される切り込み等の被係止部が２箇所設けられ、前記紐状部材は、ゴム紐等の伸縮性を有する部材が中央に配され、その両端部が布製等の紐であり、さらに、この紐状部材が通し穴のほぼ中央部で本体に連結されていることを特徴とする紐状部材とともに使用される織編物。